(57)【特許請求の範囲】
【請求項１】
情報伝送方法であって、
端末装置が第２指示情報を受信することであって、前記第２指示情報は第１指示情報を構成するために使用され、前記第２指示情報は更に、前記第１指示情報の送信パターン及び前記第１指示情報が占有するリソースのうちの少なくとも１つを示すために使用され、前記第１指示情報は第１メッセージに属し、前記第１メッセージは指示フィールドを運び、前記指示フィールドの値が第１値である場合、前記指示フィールドは、前記第１メッセージが前記第１指示情報を運ぶために用いられることを示し、前記指示フィールドの値が第２値である場合、前記指示フィールドは、前記第１メッセージがアップリンク又はダウンリンク許可を運ぶために用いられることを示す、ことと、
前記端末装置が前記第２指示情報に従って第１指示情報を受信することであって、前記第１指示情報は以前に構成された予約リソースを修正することに用いられ、前記予約リソースは、上位層の制御シグナリングを介してネットワーク機器によって構成され且つ物理層シグナリングを介して変更できるリソースであり、前記予約リソースは前記第１指示情報の前に予約されたものである、ことと、を含むことを特徴とする、前記情報伝送方法。
【請求項２】
前記第２指示情報は更に、前記第１指示情報の送信周期を示すことに用いられることを特徴とする
請求項１に記載の方法。
【請求項３】
前記第１指示情報は前記予約リソースの周期、前記予約リソースのサイズ、前記予約リソースのパターン、前記予約リソースの占有する時間ドメインリソース、前記予約リソースの占有する周波数ドメインリソース、前記予約リソースの占有するコードドメインリソース、及び前記予約リソースの占有する空間ドメインリソースのうちの少なくとも１つを示すことに用いられることを特徴とする
請求項１又は２に記載の方法。
【請求項４】
端末装置であって、
第２指示情報を受信するように構成される送受信ユニットであって、前記第２指示情報は第１指示情報を構成するために使用され、前記第２指示情報は更に、前記第１指示情報の送信パターン及び前記第１指示情報が占有するリソースのうちの少なくとも１つを示すために使用され、前記第１指示情報は第１メッセージに属し、前記第１メッセージは指示フィールドを運び、前記指示フィールドの値が第１値である場合、前記指示フィールドは、前記第１メッセージが前記第１指示情報を運ぶために用いられることを示し、前記指示フィールドの値が第２値である場合、前記指示フィールドは、前記第１メッセージがアップリンク又はダウンリンク許可を運ぶために用いられることを示す、送受信ユニットを備え、
前記送受信ユニットは、更に、前記第２指示情報に従って第１指示情報を受信するように構成され、前記第１指示情報は以前に構成された予約リソースを修正することに用いられ，前記予約リソースは、上位層の制御シグナリングを介してネットワーク機器によって構成され且つ物理層シグナリングを介して変更できるリソースであり、前記予約リソースは第１指示情報の前に予約されたものである、ことを特徴とする、前記端末装置。
【請求項５】
前記第２指示情報は更に、前記第１指示情報の送信周期を示すことに用いられることを特徴とする
請求項４に記載の端末装置。
【請求項６】
前記第１指示情報は前記予約リソースの周期、前記予約リソースのサイズ、前記予約リソースのパターン、前記予約リソースの占有する時間ドメインリソース、前記予約リソースの占有する周波数ドメインリソース、前記予約リソースの占有するコードドメインリソース、及び前記予約リソースの占有する空間ドメインリソースのうちの少なくとも１つを示すことに用いられることを特徴とする
請求項４又は５に記載の端末装置。
【発明の詳細な説明】
【技術分野】
【０００１】
本願は通信分野に関し、且つ、より具体的に、情報伝送方法、ネットワーク機器及び端末装置に関する。
【背景技術】
【０００２】
従来のロングタームエボリューション（ＬＴＥ：Ｌｏｎｇ  Ｔｅｒｍ  Ｅｖｏｌｕｔｉｏｎ）システムにおいて、特定のサービスに対してサブフレームを予約することができ、複数のセルが該サブフレームにおいてデータを共同で送信することができ、このため、該サブフレームを予め予約する必要があり、無線リソース制御（ＲＲＣ：Ｒａｄｉｏ  Ｒｅｓｏｕｒｃｅ  Ｃｏｎｔｒｏｌ）シグナリングによって該サブフレームを予約する。
【０００３】
新無線（ＮＲ：Ｎｅｗ  Ｒａｄｉｏ）の設計において、リソースの利用効率に対して高く求められており、予約リソースに対して、リソースをどのように柔軟に予約して予約リソースの利用効率を向上させるかは早急な解決の待たれる問題である。
【発明の概要】
【発明が解決しようとする課題】
【０００４】
本願の実施例は予約リソースの柔軟な割り当てを実現することでリソース予約の効率を向上させることのできる情報伝送方法、ネットワーク機器及び端末装置を提供する。
【課題を解決するための手段】
【０００５】
第１態様に係る情報伝送方法であって、
ネットワーク機器が予約リソースを示すための第１指示情報を送信し、前記第１指示情報が前記第１指示情報に対する構成に基づいて送信されたものであることを含む。
【０００６】
任意選択に、前記ネットワーク機器が第１指示情報を送信する前に、前記方法は、更に、
前記ネットワーク機器が前記第１指示情報を構成するための第２指示情報を送信することを含む。
【０００７】
任意選択に、前記第１指示情報は以前に構成された予約リソースを修正することに用いられる。
【０００８】
任意選択に、前記第２指示情報は前記第１指示情報の送信周期、前記第１指示情報の送信パターン及び前記第１指示情報の占有するリソースのうちの少なくとも１つを示すことに用いられる。
【０００９】
任意選択に、前記第１指示情報は前記予約リソースの周期、前記予約リソースのサイズ、前記予約リソースのパターン、前記予約リソースの占有する時間ドメインリソース、前記予約リソースの占有する周波数ドメインリソース、前記予約リソースの占有するコードドメインリソース及び前記予約リソースの占有する空間ドメインリソースのうちの少なくとも１つを示すことに用いられる。
【００１０】
任意選択に、異なる情報が前記第１指示情報に含まれる異なるドメインに搬送される。  
【００１１】
任意選択に、前記第１指示情報にアップリンク又はダウンリンク許可が含まれ、前記アップリンク又はダウンリンク許可によって、前記予約リソースを用いたサービスをサーチすることができる。
【００１２】
任意選択に、前記アップリンク又はダウンリンク許可は前記サービスのインデックス又は前記サービスの論理チャネル識別子を含む。
【００１３】
任意選択に、前記第１指示情報がシステムメッセージ又は専用メッセージにより搬送される。
【００１４】
任意選択に、前記第２指示情報がシステムメッセージ又は専用メッセージにより搬送される。
【００１５】
任意選択に、前記専用メッセージが無線リソース制御ＲＲＣ層専用シグナリング、メディアアクセス制御ＭＡＣ層制御シグナリング又は物理層制御シグナリングである。
【００１６】
第２態様に係る情報伝送方法であって、
端末装置が予約リソースを示すための第１指示情報を受信し、前記第１指示情報が前記第１指示情報に対する構成に基づいて受信されたものであることを含む。
【００１７】
任意選択に、前記端末装置が第１指示情報を受信する前に、前記方法は、更に、
端末装置が第１指示情報を構成するための第２指示情報を受信することを含む。
【００１８】
任意選択に、前記第１指示情報は以前に構成された予約リソースを修正することに用いられる。
【００１９】
任意選択に、前記方法は、更に、
前記予約リソースを利用してデータの受信又は送信を行うことを含む。
【００２０】
任意選択に、前記第１指示情報にアップリンク又はダウンリンク許可が含まれ、前記アップリンク又はダウンリンク許可によって、前記予約リソースを用いたサービスをサーチすることができ、
前記予約リソースを利用してデータの受信又は送信を行うことは、
前記予約リソースを利用して前記サービスに含まれるデータの受信又は送信を行うことを含む。
【００２１】
任意選択に、前記アップリンク又はダウンリンク許可は前記サービスのインデックス又は前記サービスの論理チャネル識別子を含む。
【００２２】
任意選択に、前記第２指示情報は前記第１指示情報の送信周期、前記第１指示情報の送信パターン及び前記第１指示情報の占有するリソースのうちの少なくとも１つを示すことに用いられる。
【００２３】
任意選択に、前記第１指示情報は前記予約リソースの周期、前記予約リソースのサイズ、前記予約リソースのパターン、前記予約リソースの占有する時間ドメインリソース、前記予約リソースの占有する周波数ドメインリソース、前記予約リソースの占有するコードドメインリソース、及び前記予約リソースの占有する空間ドメインリソースのうちの少なくとも１つを示すことに用いられる。
【００２４】
任意選択に、異なる情報が前記第１指示情報に含まれる異なるドメインに搬送される。
【００２５】
任意選択に、前記第１指示情報がシステムメッセージ又は専用メッセージにより搬送される。
【００２６】
任意選択に、前記第２指示情報がシステムメッセージ又は専用メッセージにより搬送される。
【００２７】
任意選択に、前記専用メッセージが無線リソース制御ＲＲＣ層専用シグナリング、メディアアクセス制御ＭＡＣ層制御シグナリング又は物理層制御シグナリングである。
【００２８】
第３態様に係るネットワーク機器であって、該ネットワーク機器は第１態様又はそのいずれか１つの選択可能な実現方式における方法を実行するユニットを備えてもよい。
【００２９】
第４態様に係る端末装置であって、該端末装置は第２態様又はそのいずれか１つの選択可能な実現方式における方法を実行するユニットを備えてもよい。
【００３０】
第５態様に係るネットワーク機器であって、該ネットワーク機器はメモリ及びプロセッサを備えてもよく、該メモリに命令が記憶され、該プロセッサはメモリに記憶される命令を呼び出して第１態様又はそのいずれか１つの選択可能な実現方式における方法を実行することに用いられる。
【００３１】
第６態様に係る端末装置であって、該端末装置はメモリ及びプロセッサを備えてもよく、該メモリに命令が記憶され、該プロセッサはメモリに記憶される命令を呼び出して第２態様又はそのいずれか１つの選択可能な実現方式における方法を実行することに用いられる。
【００３２】
第７態様に係るコンピュータ可読媒体であって、前記コンピュータ可読媒体には端末装置が実行するためのプログラムコードが記憶され、前記プログラムコードは第１態様又はその様々な実現方式における方法を実行するための命令を含む。
【００３３】
第８態様に係るコンピュータ可読媒体であって、前記コンピュータ可読媒体にはネットワーク機器が実行するためのプログラムコードが記憶され、前記プログラムコードは第２態様又はその様々な実現方式における方法を実行するための命令を含む。
【００３４】
第９態様に係るシステムチップであって、該システムチップは入力インターフェース、出力インターフェース、プロセッサ及びメモリを備え、該プロセッサは該メモリにおけるコードを実行することに用いられ、該コードが実行されるとき、該プロセッサは上記第１態様及び様々な実現方式における方法を実現することができる。
【００３５】
第１０態様に係るシステムチップであって、該システムチップは入力インターフェース、出力インターフェース、プロセッサ及びメモリを備え、該プロセッサは該メモリにおけるコードを実行することに用いられ、該コードが実行されるとき、該プロセッサは上記第２態様及び様々な実現方式における方法を実現することができる。
【発明の効果】
【００３６】
従って、本願の実施例では、ネットワーク機器は第１指示情報の構成情報に基づいて前記端末装置に割り当てられた予約リソースの構成情報を示すための第１指示情報を前記端末装置に送信し、これにより、端末装置は第１指示情報の構成情報に基づいて予約リソースの構成情報を取得することができ、予約リソースの柔軟な割り当てを実現することができ、それによりリソース予約の効率を向上させることができる。
【図面の簡単な説明】
【００３７】
【図１】図１は本願の実施例に係る無線通信システムの模式図である。
【図２】図２は本願の実施例に係る情報伝送方法の模式的なフローチャートである。
【図３ａ】図３ａは本願の実施例に係る第１指示情報及び予約リソースの占有するリソースの模式図である。
【図３ｂ】図３ｂは本願の実施例に係る第１指示情報及び予約リソースの占有するリソースの模式図である。
【図４ａ】図４ａは本願の実施例に係る第１指示情報及び予約リソースの占有するリソースの模式図である。
【図４ｂ】図４ｂは本願の実施例に係る第１指示情報及び予約リソースの占有するリソースの模式図である。
【図５】図５は本願の実施例に係るネットワーク機器の模式的なブロック図である。
【図６】図６は本願の実施例に係る端末装置の模式的なブロック図である。
【図７】図７は本願の実施例に係る通信機器の模式的なブロック図である。
【図８】図８は本願の実施例に係るシステムチップの模式的なブロック図である。
【発明を実施するための形態】
【００３８】
本願の実施例の技術案をより明確に説明するために、以下に実施例又は従来技術の記述において必要な図面を用いて簡単に説明を行うが、当然ながら、以下に記載する図面は本願の実施例の一例であって、当業者であれば、創造的な労力を要することなく、これらの図面に基づいて他の図面に想到しうる。
【００３９】
以下、本願の実施例の図面を参照しながら、本願の実施例の技術案を明確且つ完全に説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００４０】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００４１】
図１には本願の実施例に適用される無線通信システム１００を示す。該無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ該カバレッジ領域内に位置する端末装置（例えば、ＵＥ）と通信できる。任意選択に、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００４２】
該無線通信システム１００は更にネットワーク機器１１０のカバレッジ範囲内にある少なくとも１つの端末装置１２０を備える。端末装置１２０は可動又は固定であってもよい。任意選択に、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４３】
任意選択に、５Ｇシステム又はネットワークは更に新無線（ＮＲ：Ｎｅｗ  Ｒａｄｉｏ）システム又はネットワークと称されてもよい。
【００４４】
図１には１つのネットワーク機器及び２つの端末装置を例示的に示し、任意選択に、該無線通信システム１００は複数のネットワーク機器を備えてもよく、且つ各ネットワーク機器のカバレッジ範囲内には他の数の端末装置が含まれてもよく、本願の実施例は制限しない。
【００４５】
任意選択に、該無線通信システム１００は更にネットワーク制御装置、モビリティ管理エンティティ等の他のネットワークエンティティを備えてもよく、本願の実施例は制限しない。
【００４６】
本明細書における用語「システム」と「ネットワーク」は常に交換可能に使用されると理解すべきである。本明細書における用語「及び／又は」は関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００４７】
図２は本願の実施例に係る情報伝送方法２００の模式的なフローチャートである。図２に示すように、該方法２００は以下の内容を含む。
【００４８】
図２に示す方法２００では、２１０と２２０が任意選択的な操作であり、２３０と２４０では、第２指示情報に対する構成が予め構成されてもよいと理解すべきである。
【００４９】
２１０では、ネットワーク機器が第１指示情報を構成するための第２指示情報を送信する。
【００５０】
任意選択に、ネットワーク機器が端末装置へ第２指示情報を送信する。
【００５１】
任意選択に、ネットワーク機器はブロードキャスト又は固有シグナリング方式で前記第２指示情報を送信することができる。
【００５２】
２２０では、端末装置が該第２指示情報を受信する。
【００５３】
任意選択に、端末装置がネットワーク機器から送信される該第２指示情報を受信する。
【００５４】
任意選択に、端末装置が他の端末装置から転送される、該ネットワーク機器から送信される第２指示情報を受信する。
【００５５】
任意選択に、該第２指示情報は第１指示情報の構成情報を含んでもよい。
【００５６】
任意選択に、該第１指示情報の構成情報は該第１指示情報の送信周期、該第１指示情報の送信パターン及び該第１指示情報の占有するリソースのうちの少なくとも１つを含む。任意選択に、異なる情報が該第２指示情報に含まれる異なるドメインに搬送されてもよい。
【００５７】
該第１指示情報の送信周期は第１指示情報を送信する隣接する２回ごとの時間間隔を示すことに用いられてもよく、該間隔はフレーム、サブフレーム、スロット及びシンボルを単位としてもよい。
【００５８】
該第１指示情報の送信パターンは第１指示情報を送信する時間間隔及び／又はキャリア間隔、及び／又は占有するリソース等を示すことに用いられてもよい。
【００５９】
該第１指示情報の占有するリソースは該第１指示情報の占有すべき時間ドメインリソース、周波数ドメインリソース、空間ドメインリソース及びコードドメインリソースのうちの少なくとも１つを指してもよい。
【００６０】
任意選択に、該第２指示情報がシステムメッセージ又は専用メッセージにより搬送される。
【００６１】
該第２指示情報がシステムメッセージにより送信されるとき、ブロードキャスト方式で送信されてもよく、端末装置は該システムメッセージを検出したとき、第１指示情報の構成情報を確定して、該構成情報に基づいて第１指示情報を取得することができる。
【００６２】
任意選択に、該専用メッセージが無線リソース制御（ＲＲＣ：Ｒａｄｉｏ  Ｒｅｓｏｕｒｃｅ  Ｃｏｎｔｒｏｌ）層専用シグナリング、メディアアクセス制御（ＭＡＣ：Ｍｅｄｉａ  Ａｃｃｅｓｓ  Ｃｏｎｔｒｏｌ）制御要素（ＣＥ：Ｃｏｎｔｒｏｌ  Ｅｌｅｍｅｎｔ）シグナリング又は物理層制御シグナリングである。
【００６３】
該第２指示情報が専用メッセージにより送信されるとき、該第２指示情報が特定の端末に対するものであってもよい場合、該特定の端末は該第２指示情報を受信し、該第２指示情報に基づいて第１指示情報を取得することができる。
【００６４】
任意選択に、ネットワーク機器は端末装置のニーズに応じて該第２指示情報を送信し、例えば、該端末装置のサービスに基づいて構成すべき予約リソースの周波数を確定することにより、構成された予約リソースの周波数に基づいて該第２指示情報を送信することができる。
【００６５】
２３０では、該第１指示情報に対する構成に基づいて、該ネットワーク機器が予約リソースを構成するための第１指示情報を送信する。
【００６６】
任意選択に、ネットワーク機器は端末装置へ該第１指示情報を送信することができる。
【００６７】
任意選択に、ネットワーク機器はブロードキャスト又は固有シグナリング方式で端末装置へ該第１指示情報を送信することができる。
【００６８】
２４０では、該第１指示情報に対する構成に基づいて、該端末装置が該第１指示情報を受信する。
【００６９】
任意選択に、端末装置がネットワーク機器から送信される該第１指示情報を受信する。
【００７０】
任意選択に、端末装置が他の端末装置から転送される、該ネットワーク機器から送信される第１指示情報を受信する。
【００７１】
任意選択に、該第１指示情報は該端末装置に割り当てられた予約リソースの構成情報を示すことに用いられる。
【００７２】
任意選択に、該第１指示情報は更に以前に構成された予約リソースを修正することができる。以前に構成された予約リソースがＲＲＣシグナリングにより構成されたものであってもよい。
【００７３】
例えば、ネットワーク機器が物理層制御シグナリングによって対応する予約リソースの構成を修正し、例えば持続時間を１つのシンボルから複数のシンボルに修正し、すなわち物理層制御シグナリングによって高層制御シグナリングのすべての予約リソース構成をカバレッジする。
【００７４】
任意選択に、前記予約リソースの構成情報は前記予約リソースの周期、前記予約リソースのサイズ、前記予約リソースのパターン、前記予約リソースの占有する時間ドメインリソース、前記予約リソースの占有する周波数ドメインリソース、前記予約リソースの占有するコードドメインリソース及び前記予約リソースの占有する空間ドメインリソースのうちの少なくとも１つ情報を含む。
【００７５】
任意選択に、異なる情報が該第１指示情報に含まれる異なるドメインに搬送される。
【００７６】
任意選択に、予約リソースが時間又は周波数的に連続又は非連続したものであってもよい。
【００７７】
任意選択に、該第１指示情報が第１メッセージに属し、該第１メッセージに指示フィールドが含まれ、該指示フィールドの値が第１値である場合、該第１メッセージが該第１指示情報を含めることに用いられることを示し、該指示フィールドの値が第２値である場合、該第１メッセージがアップリンク又はダウンリンク許可に用いられることを示す。
【００７８】
例えば、物理層制御シグナリングはアップリンク又はダウンリンク許可に用いられてもよいし、予約リソースの構成情報を含めることに用いられてもよい場合、該物理層制御シグナリングは指示フィールドを含んでもよく、該指示フィールドは該指示フィールドに異なる値を含めることにより該物理層制御シグナリングが予約リソースの構成情報を含めることに用いられるか、又はアップリンク又はダウンリンク許可に用いられるかを区別する予約フィールドであってもよく、例えば、指示フィールドの値が１である場合、該物理層制御シグナリングが予約リソースの構成情報を含めることに用いられることを示し、指示フィールドの値が０である場合、該物理層制御シグナリングがアップリンク又はダウンリンク許可に用いられることを示す。
【００７９】
任意選択に、前記予約リソースの構成情報を含める以外に、前記第１指示情報にアップリンク又はダウンリンク許可が含まれ、前記アップリンク又はダウンリンク許可によって、前記予約リソースを用いたサービスをサーチすることができ、端末装置は前記予約リソースを利用して前記サービスに含まれるデータの受信又は送信を行うことができる。
【００８０】
任意選択に、前記アップリンク又はダウンリンク許可は前記サービスのインデックス又は前記サービスの論理チャネル識別子を含む。
【００８１】
任意選択に、該第１指示情報がシステムメッセージ又は専用メッセージにより搬送される。
【００８２】
該第１指示情報がシステムメッセージにより送信されるとき、ブロードキャスト方式で送信されてもよく、端末装置は該システムメッセージを検出したとき、予約リソースの構成情報を確定して、該構成情報に基づいて予約リソースを確定することができる。
【００８３】
任意選択に、該専用メッセージがＲＲＣ層専用シグナリング、ＭＡＣ  ＣＥシグナリング又は物理層制御シグナリングである。
【００８４】
該第１指示情報が専用メッセージにより送信されるとき、該第１指示情報が特定の端末に対するものであってもよい場合、該特定の端末は該第１指示情報を受信し、該第１指示情報に基づいて予約リソースを確定することができる。
【００８５】
任意選択に、ネットワーク機器は端末装置のニーズ（例えば、端末装置のサービス）に応じて構成すべき予約リソースを確定することにより、構成すべき予約リソースに基づいて該第１指示情報を送信することができる。
【００８６】
任意選択に、端末装置が該予約リソースの構成情報に基づいて該予約リソースを利用してデータの受信又は送信を行う。
【００８７】
例えば、該予約リソースが予約サブフレームであってもよく、端末装置は該予約サブフレームを利用して拡張マルチメディアブロードキャスト／マルチキャストサービス（ｅＭＢＭＳ：ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅ）サービスのデータを伝送することができる。
【００８８】
例えば、該予約リソースが予約サブフレームであり、あるセルは該予約サブフレームをブランクにすることにより、同一周波数における隣接するセルが対応するデータ送信を行うことに役立ち、この時、該予約サブフレームがオールモーストブランクサブフレーム（ＡＢＳ：Ａｌｍｏｓｔ  Ｂｌａｎｋ  Ｓｕｂｆｒａｍｅ）と称されてもよい。
【００８９】
理解しやすくするために、以下、図３ａ、図３ｂ、図４ａ及び図４ｂを参照しながら、第１指示情報が物理層制御シグナリングにより搬送される場合を例として、物理層制御シグナリングの構成情報及び予約リソースの構成情報の送信方式を説明し、黒色充填部分が物理層制御シグナリングの占有する時間周波数リソースであり、白色充填部分が該物理層制御シグナリングで示す予約リソースの占有する時間周波数リソースである。
【００９０】
例えば、図３ａに示すように、ネットワーク機器は物理層制御シグナリングの占有する時間周波数リソースを構成することができ、図３ａに示す物理層制御シグナリングの占有すべき時間周波数リソースは時間周波数リソース１、時間周波数リソース２及び時間周波数リソース３を含む。図３ａに示す物理層制御シグナリングの占有すべき時間周波数リソースにおいて、ネットワーク機器は物理層制御シグナリングを送信することができ、該物理層制御シグナリングは端末装置のために予約した予約リソースを構成することができ、図３ｂに示すように、時間周波数リソース１において送信した物理層制御シグナリングは予約リソースａの構成情報を示すことができ、時間周波数リソース２において送信した物理層制御シグナリングは予約リソースｂ及びｃの構成情報を示すことができ、時間周波数リソース３において送信した物理層制御シグナリングは予約リソースｄの構成情報を示すことができる。
【００９１】
例えば、図４ａに示す予約リソースは以前に構成された予約リソースであってもよく、例えばネットワーク機器がＲＲＣ制御シグナリングを介して構成した予約リソースであってもよく、該予約リソースは予約リソースａ、予約リソースｂ、予約リソースｃ及び予約リソースｄを含んでもよい。ネットワーク機器は該予約リソースを変更することができ、例えば、ネットワーク機器は物理層制御シグナリングの構成情報を送信することができ、例えば、図４ｂに示すように、予約リソースｃを修正し、例えば予約リソースｃの占有するシンボル数を修正する必要がある場合、物理層制御シグナリングの占有する時間周波数リソース３の構成情報を送信することができ、予約リソースｃの占有するシンボル数を修正するために、該時間周波数リソース３において物理層制御シグナリングを送信する。任意選択に、予約リソースａ、予約リソースｂ及び予約リソースｃを修正する必要がないことを示すために、ネットワーク機器は更に時間周波数リソース１、時間周波数リソース２及び時間周波数リソース４の構成情報を送信することができる。時間周波数リソース３（任意選択に、時間周波数リソース１、時間周波数リソース２及び時間周波数リソース４を含む）の構成情報が同一シグナリングにより送信されてもよい。
【００９２】
従って、本願の実施例では、ネットワーク機器は第１指示情報の構成情報を示すための第２指示情報を端末装置に送信し、第１指示情報の構成情報に基づいて前記端末装置に割り当てられた予約リソースの構成情報を示すための第１指示情報を前記端末装置に送信し、これにより、端末装置は第２指示情報に基づいて第１指示情報の構成情報を取得し、第１指示情報の構成情報に基づいて予約リソースの構成情報を取得することができ、予約リソースの柔軟な割り当てを実現することができ、それによりリソース予約の効率を向上させることができる。
【００９３】
任意選択に、該第１指示情報の構成が予め構成されてもよく、予約リソースの柔軟な割り当ても実現でき、それによりリソース予約の効率を向上させることができる。
【００９４】
且つ、本願の実施例はＮＲシステムに適用されてもよく、予約リソースは正方向互換性を実現できる。
【００９５】
且つ、更に、第１指示情報は以前に割り当てられた予約リソースを修正することに用いられてもよく、予約リソースの柔軟性を更に向上させることができる。
【００９６】
図５は本願の実施例に係るネットワーク機器３００の模式的なブロック図である。図５に示すように、該ネットワーク機器３００は処理ユニット３１０及び送信ユニット３２０を備える。
【００９７】
該処理ユニット３１０は予約リソースを示すための第１指示情報を生成することに用いられ、
該送信ユニット３２０は該第１指示情報に対する構成に基づいて送信された該第１指示情報を送信することに用いられる。
【００９８】
任意選択に、該処理ユニット３１０は更に該第１指示情報を構成するための第２指示情報を生成することに用いられ、
該送信ユニット３２０は更に第２指示情報を送信することに用いられ、
任意選択に、該第１指示情報は以前に構成された予約リソースを修正することに用いられる。
【００９９】
任意選択に、該第２指示情報は該第１指示情報の送信周期、該第１指示情報の送信パターン及び該第１指示情報の占有するリソースのうちの少なくとも１つを示すことに用いられる。
【０１００】
任意選択に、該第１指示情報は該予約リソースの周期、該予約リソースのサイズ、該予約リソースのパターン、該予約リソースの占有する時間ドメインリソース、該予約リソースの占有する周波数ドメインリソース、該予約リソースの占有するコードドメインリソース及び該予約リソースの占有する空間ドメインリソースのうちの少なくとも１つを示すことに用いられる。
【０１０１】
任意選択に、異なる情報が該第１指示情報に含まれる異なるドメインに搬送される。
【０１０２】
任意選択に、該第１指示情報にアップリンク又はダウンリンク許可が含まれ、該アップリンク又はダウンリンク許可によって、該予約リソースを用いたサービスをサーチすることができる。
【０１０３】
任意選択に、該アップリンク又はダウンリンク許可は該サービスのインデックス又は該サービスの論理チャネル識別子を含む。
【０１０４】
任意選択に、該第１指示情報がシステムメッセージ又は専用メッセージにより搬送される。
【０１０５】
任意選択に、該第２指示情報がシステムメッセージ又は専用メッセージにより搬送される。
【０１０６】
任意選択に、該専用メッセージが無線リソース制御ＲＲＣ層専用シグナリング、メディアアクセス制御ＭＡＣ層制御シグナリング又は物理層制御シグナリングである。
【０１０７】
該ネットワーク機器は方法２００におけるネットワーク機器に対応してもよく、方法２００におけるネットワーク機器の対応操作を実現することができ、簡潔のために、ここで詳細な説明は省略すると理解すべきである。
【０１０８】
図６は本願の実施例に係る端末装置４００の模式的なブロック図である。図６に示すように、該端末装置４００は処理ユニット４１０及び送受信ユニット４２０を備える。
【０１０９】
該処理ユニット４１０は該第１指示情報に対する構成を取得することに用いられ、
該送受信ユニット４２０は予約リソースを示すための第１指示情報を受信することに用いられ、該第１指示情報が該第１指示情報に対する構成に基づいて受信されたものである。
【０１１０】
任意選択に、該送受信ユニット４２０は、更に、
第１指示情報を構成するための第２指示情報を受信することに用いられる。
【０１１１】
任意選択に、該第１指示情報は以前に構成された予約リソースを修正することに用いられる。
【０１１２】
任意選択に、該送受信ユニット４２０は、更に、
該予約リソースを利用してデータの受信又は送信を行うことに用いられる。
【０１１３】
任意選択に、該第１指示情報にアップリンク又はダウンリンク許可が含まれ、該アップリンク又はダウンリンク許可によって、該予約リソースを用いたサービスをサーチすることができ、
該送受信ユニット４２０は、更に、
該予約リソースを利用して該サービスに含まれるデータの受信又は送信を行うことに用いられる。
【０１１４】
任意選択に、該アップリンク又はダウンリンク許可は該サービスのインデックス又は該サービスの論理チャネル識別子を含む。
【０１１５】
任意選択に、該第２指示情報は該第１指示情報の送信周期、該第１指示情報の送信パターン及び該第１指示情報の占有するリソースのうちの少なくとも１つを示すことに用いられる。
【０１１６】
任意選択に、該第１指示情報は該予約リソースの周期、該予約リソースのサイズ、該予約リソースのパターン、該予約リソースの占有する時間ドメインリソース、該予約リソースの占有する周波数ドメインリソース、該予約リソースの占有するコードドメインリソース、及び該予約リソースの占有する空間ドメインリソースのうちの少なくとも１つを示すことに用いられる。
【０１１７】
任意選択に、異なる情報が該第１指示情報に含まれる異なるドメインに搬送される。
【０１１８】
任意選択に、該第１指示情報がシステムメッセージ又は専用メッセージにより搬送される。
【０１１９】
任意選択に、該第２指示情報がシステムメッセージ又は専用メッセージにより搬送される。
【０１２０】
任意選択に、該専用メッセージが無線リソース制御ＲＲＣ層専用シグナリング、メディアアクセス制御ＭＡＣ層制御シグナリング又は物理層制御シグナリングである。
【０１２１】
該端末装置は方法２００における端末装置に対応してもよく、方法２００における端末装置の対応操作を実現することができ、簡潔のために、ここで詳細な説明は省略すると理解すべきである。
【０１２２】
図７は本願の実施例に係る通信機器５００の模式的なブロック図である。図７に示すように、該機器５００はプロセッサ５１０及びメモリ５２０を備える。該メモリ５２０にプログラムコードが記憶されてもよく、該プロセッサ５１０は該メモリ５２０に記憶されるプログラムコードを実行することができる。
【０１２３】
任意選択に、図７に示すように、該機器５００は送受信機５３０を備えてもよく、プロセッサ５１０は送受信機５３０を制御して外部と通信させることができる。
【０１２４】
任意選択に、該プロセッサ５１０はメモリ５２０に記憶されるプログラムコードを呼び出して図３に示す方法２００における端末装置の対応操作を実行することができ、簡潔のために、ここで詳細な説明は省略する。
【０１２５】
任意選択に、該プロセッサ５１０はメモリ５２０に記憶されるプログラムコードを呼び出して図３に示す方法２００におけるネットワーク機器の対応操作を実行することができ、簡潔のために、ここで詳細な説明は省略する。
【０１２６】
図８は本願の実施例のシステムチップの模式的な構造図である。図８におけるシステムチップ６００は入力インターフェース６０１、出力インターフェース６０２、プロセッサ６０３及びメモリ６０４を備え、前記プロセッサ６０３及びメモリ６０４が通信接続され、前記プロセッサ６０３は前記メモリ６０４におけるコードを実行することに用いられる。
【０１２７】
任意選択に、前記コードが実行されるとき、前記プロセッサ７０３は方法実施例における端末装置が実行する方法を実現する。簡潔のために、ここで詳細な説明は省略する。
【０１２８】
任意選択に、前記コードが実行されるとき、前記プロセッサ７０３は方法実施例におけるネットワーク機器が実行する方法を実現する。簡潔のために、ここで詳細な説明は省略する。
【０１２９】
当業者であれば、本明細書に開示される実施例を参照して説明した各例示的なユニット及びアルゴリズムステップは、電子ハードウェア又はコンピュータソフトウェアと電子ハードウェアの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【０１３０】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１３１】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３２】
分離部材として説明される前記ユニットは物理的に分離してもよいし、物理的に分離しなくてもよく、ユニットとして表示される部材は物理ユニットであってもよいし、物理ユニットでなくてもよく、すなわち、一箇所に位置してもよいし、複数のネットワークユニットに配置されてもよい。実際の必要に応じて、その一部又は全部のユニットを選択して本実施例案の目的を実現してもよい。
【０１３３】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１３４】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３５】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
0006878587.tif 000002
【図２】
0006878587.tif 000003
【図３ａ】
0006878587.tif 000004
【図３ｂ】
0006878587.tif 000005
【図４ａ】
0006878587.tif 000006
【図４ｂ】
0006878587.tif 000007
【図５】
0006878587.tif 000008
【図６】
0006878587.tif 000009
【図７】
0006878587.tif 000010
【図８】
0006878587.tif 000011